(57)【特許請求の範囲】
【請求項１】
洗車機を設置した洗車作業場の入口に設置され、洗車作業場への入場を希望する車両のための洗車機による洗車を受付け可能とし、
洗車機による先行車両の洗車中に、洗車作業場の入口に到来して待機する後続車両に各種情報を提供する情報提供部を付帯して備える洗車受付装置であって、
前記情報提供部が、後続車両のための洗車操作条件を受付け完了し、該後続車両を洗車作業場の入口に待機させた後、該後続車両に洗車作業場への入場を促すまでの間、洗車作業場の入口で待機している後続車両に対し、各種情報を提供する洗車受付装置。
【請求項２】
前記情報提供部が、各種情報を音声表示するとともに、画像表示する請求項１に記載の洗車受付装置。
【請求項３】
前記情報提供部が、複数種の情報を選択的に提供でき、後続車両に提供する情報を後続車両の乗員によって選択可能とする情報選択部を備えてなる請求項１又は２に記載の洗車受付装置。
【請求項４】
前記情報提供部が、車両の車載ラジオの中間周波数を利用する送信手段を有する請求項１〜３のいずれかに記載の洗車受付装置。
【発明の詳細な説明】
【０００１】
【発明の属する技術分野】
本発明は洗車受付装置に関する。
【０００２】
【従来の技術】
従来の洗車設備では、特許2884460に記載の如く、洗車機を設置した洗車作業場への入場を希望する車両のための洗車機による洗車を受付け可能とする洗車受付装置をこの洗車作業場の入口に設置している。また、この洗車設備では、先行車両が洗車作業場に入場して洗車されている洗車中に、洗車作業場の入口に到来した後続車両をその入口に待機させている。
【０００３】
【発明が解決しようとする課題】
従来技術において、洗車作業場の入口に到来した後続車両は、先行車両が洗車を終了して洗車作業場から退場するまで、その入口でただ待機するしかなく、このことはその乗員に退屈と無駄を強いることでしかない。
【０００４】
本発明の課題は、洗車受付装置において、先行車両の洗車終了まで待機する後続車両に占い、ゲーム等の各種情報を提供し、該後続車両の乗員に退屈と無駄を強いることなく、その待ち時間を有効に利用することにある。
【０００５】
【課題を解決するための手段】
請求項１の発明は、洗車機を設置した洗車作業場の入口に設置され、洗車作業場への入場を希望する車両のための洗車機による洗車を受付け可能とし、洗車機による先行車両の洗車中に、洗車作業場の入口に到来して待機する後続車両に各種情報を提供する情報提供部を付帯して備える洗車受付装置であって、前記情報提供部が、後続車両のための洗車操作条件を受付け完了し、該後続車両を洗車作業場の入口に待機させた後、該後続車両に洗車作業場への入場を促すまでの間、洗車作業場の入口で待機している後続車両に対し、各種情報を提供するようにしたものである。
【０００６】
請求項２の発明は、請求項１の発明において更に、前記情報提供部が、各種情報を音声表示するとともに、画像表示するようにしたものである。
【０００７】
請求項３の発明は、請求項１又は２の発明において更に、前記情報提供部が、複数種の情報を選択的に提供でき、後続車両に提供する情報を後続車両の乗員によって選択可能とする情報選択部を備えてなるようにしたものである。
【０００８】
請求項４の発明は、請求項１〜３のいずれかの発明において更に、前記情報提供部が、車両の車載ラジオの中間周波数を利用する送信手段を有するようにしたものである。
【０００９】
【作用】
請求項１、２の発明によれば下記(a)、(b)の作用がある。
(a)洗車受付装置は、先行車両の洗車終了まで待機する後続車両の乗員に対し、情報提供部により占い、ゲーム、当該洗車設備又は近隣商店の情報等の情報を提供する。これにより、後続車両の乗員に退屈と無駄を強いることなく、その待ち時間を有効に利用できる。
【００１０】
(b)洗車受付装置は、後続車両のための洗車操作条件を受付け完了したことを条件に、情報提供部を作動開始することにより、当該洗車客が選んだ洗車メニュー（洗車操作条件）以外のメニュー等も情報としてアピールできるし、先行車両の洗車終了後に直ちに後続車両のための洗車動作に入ることができる。
【００１１】
請求項３の発明によれば下記(c)の作用がある。
(c)情報提供部が情報選択部を備えることにより、後続車両の乗員が欲する情報を提供できるし、ある情報の提供中に当該洗車客の選択に応じて更に詳しい関連情報を表示したり、当該情報に関係する料金割引券を提供する等もできる。
【００１２】
請求項４の発明によれば下記(d)の作用がある。
(d)情報提供部が車両の車載ラジオの中間周波数を利用する送信手段を有するものとすることにより、後続車両の乗員により明瞭に情報を伝えることができるし、当該車両の洗車待機中だけでなく、その後の洗車中にも情報を伝え続けることができる。
【００１３】
【発明の実施の形態】
図１は洗車設備を示す模式図、図２は洗車受付装置を示す模式図、図３は洗車受付装置と洗車機の制御系統を示すブロック図、図４は情報提供部を示す回路図である。
【００１４】
図１はドライブスルー式の洗車設備１０を示し、門型洗車機１１をレール１２に沿って往復走行可能とし、洗車機１１の走行範囲で該洗車機１１に囲まれる領域を洗車作業場１０Ａとし、車両を洗車作業場１０Ａの前方の入口から入場させて洗車作業場１０Ａに位置付け、洗車作業場１０Ａで洗車機１１により洗車せしめられた車両を洗車作業場１０Ａの後方の出口から退場させるものである。
【００１５】
洗車設備１０は、洗車作業場１０Ａの入口に洗車受付装置１３、遮断機１４を、洗車作業場１０Ａに停止位置案内表示板１５、車両入場検出器（フットスイッチ）１６を、洗車作業場１０Ａの出口に退場案内表示灯１７を設置してある。また、遮断機１４には来車検出器１８を、洗車機１１の後面には車両退場検出器１９を設置してある。
【００１６】
洗車受付装置１３は、図２、図３に示す如く、ＣＰＵ２１、ＲＯＭ２２、ＲＡＭ２３、インターフェイスＩ／Ｏ２４を互いに接続した洗車操作制御部２０を有している。洗車操作制御部２０は、料金投入部２５、プリペイドカード等のリードライダ２６、各種洗車メニューを選択するための洗車操作入力部２７、領収書等を発行するためのプリンタ２８Ａ、釣銭返却部２８Ｂ、スピーカ２９をＩ／Ｏ２４を介してＣＰＵ２１に接続し、ＣＰＵ２１はＲＯＭ２２に記録されているプログラムに基づいてこれらの動作を制御する。
【００１７】
洗車機１１は、図３に示す如く、ＣＰＵ３１、ＲＯＭ３２、ＲＡＭ３３、インターフェイスＩ／Ｏ３４を互いに接続した洗車機制御部３０を有している。洗車機制御部３０は、来車検出器１８、車両入場検出器１６、車両退場検出器１９の検出信号をＩ／Ｏ３４を介してＣＰＵ３１に転送される。洗車機制御部３０は、走行駆動部３５、ブラシ駆動部３６、ブロワノズル動部３７、洗浄液ノズル駆動部３８をＩ／Ｏ３４を介してＣＰＵ３１に接続するとともに、遮断機駆動部３９、停止位置案内表示板１５、退場案内表示灯１７もＩ／Ｏ３４を介してＣＰＵ３１に接続し、ＣＰＵ３１はＲＯＭ３２に記録されているプログラムに基づいてこれらの動作を制御する。
【００１８】
従って、洗車設備１０における洗車機１１、洗車受付装置１３は以下の如く動作する。
(1)洗車機１１の洗車機制御部３０は、洗車機１１がレール１２上の洗車待機位置に停止していて、車両入場検出器１６、車両退場検出器１９の検出履歴から洗車作業場１０Ａに車両が在籍していないことを条件に、車両入場可能信号を洗車受付装置１３の洗車操作制御部２０へと送出する。
【００１９】
(2)洗車作業場１０Ａへの入場を希望する車両が洗車作業場１０Ａの入口に到来して待機したことを遮断機１４の来車検出器１８が検出し、この検出信号が洗車機制御部３０を介して洗車操作制御部２０に転送されると、洗車操作制御部２０は洗車操作条件（洗車メニュー）の受付けを可能にし、この受付けをスピーカ２９から車両乗員に促す。車両乗員が車両に乗ったまま車両の中から洗車受付装置１３の料金投入部２５又はリードライダ２６を用いて料金投入を行なうと、洗車操作入力部２７が投入料金に見合う洗車メニューを選択入力可能とするから、車両乗員が洗車操作入力部２７の所望の洗車メニューキーを入力し、更にスタートキーを押下すると洗車操作条件が確定し、釣銭やプリペイドカードが返却される。これにより、洗車操作条件の受付けが完了する。
【００２０】
(3)洗車受付装置１３の洗車操作制御部２０が、上述(2)の洗車操作条件の受付けを完了したとき、洗車機１１の洗車機制御部３０から前述(1)の車両入場可能信号が転送されていれば、洗車操作制御部２０は洗車機制御部３０にその洗車操作条件を送出する。
【００２１】
洗車受付装置１３の洗車操作制御部２０が、洗車機１１による先行車両の洗車中に後続車両の洗車操作条件の受付けを完了したときには、洗車機１１の洗車機制御部３０から車両入場可能信号が転送されていないから、洗車操作制御部２０はスピーカ２９を用いて後続車両を洗車作業場１０Ａの入口に待機せしめ、その後、洗車機１１の洗車機制御部３０から車両入場可能信号が転送されてきたときに洗車機制御部３０にその後続車両の洗車操作条件を送出する。
【００２２】
(4)洗車受付装置１３の洗車操作制御部２０は、洗車機１１の洗車機制御部３０へと上述(3)の洗車操作条件を送出するとともに、スピーカ２９を用いて車両乗員に洗車作業場１０Ａへの入場を促す。車両乗員が車両に乗ったまま停止位置案内表示板１５を見ながら車両を洗車作業場１０Ａに進入させ、右車輪を車両入場検出器１６に納めると、洗車機制御部３０は、車両入場検出器１６の車両入場検出信号により、洗車機１１の走行駆動部３５、ブラシ駆動部３６、ブロワノズル駆動部３７、洗浄液ノズル駆動部３８を制御し、洗車機１１による当該車両のための洗車を開始させる。洗車機１１による洗車が終了すると、洗車機制御部３０は退場案内表示灯１７を点灯して車両の退場を促し、車両乗員は車両を前進させて洗車作業場１０Ａの出口から退場する。車両の退場を車両退場検出器１９が検出する。
【００２３】
即ち、洗車設備１０にあっては、洗車機１１による先行車両の洗車中に、洗車作業場１０Ａの入口に到来する後続車両があると、洗車受付装置１０においてこの後続車両の洗車操作条件の受付けを可能にし、先行車両のための洗車と後続車両のための洗車受付けを並行処理可能として稼働率を向上可能とする。
【００２４】
このとき、洗車受付装置１３は情報提供部４０を有する。情報提供部４０は、洗車操作制御部２０のＣＰＵ２１にＩ／Ｏ２４を介して接続されて制御され、洗車作業場１０Ａの入口で待機する前述の後続車両に対し、情報表示部４１を用いて各種情報を提供する。情報表示部４１は、占い、ゲーム、当該洗車設備１０又は近隣商店の情報等の各種情報をスピーカ（スピーカ２９を使用可）で用いて音声表示する他、洗車受付装置１３に並置した画像表示装置を用いて画像表示することもできる。更に、情報表示部４１として車載ラジオ、車載テレビを用いることもできる。
【００２５】
情報提供部４０は、洗車操作制御部２０が後続車両のための洗車操作条件を受付け完了したことを条件に作動開始し、この洗車操作条件を洗車機制御部３０に送出完了したこと（遮断機１４の閉）を条件に作動停止するものとすることができる。
【００２６】
情報提供部４０は、情報選択部４２を備えることにより、複数種の情報を選択的に提供でき、後続車両に提供する情報を後続車両の乗員によって選択可能としても良い。
【００２７】
従って、本実施形態によれば、以下の作用がある。
▲１▼洗車受付装置１３は、先行車両の洗車終了まで待機する後続車両の乗員に対し、情報提供部４０により占い、ゲーム、当該洗車設備又は近隣商店の情報等の情報を提供する。これにより、後続車両の乗員に退屈と無駄を強いることなく、その待ち時間を有効に利用できる。
【００２８】
▲２▼洗車受付装置１３は、後続車両のための洗車操作条件を受付け完了したことを条件に、情報提供部４０を作動開始することにより、当該洗車客が選んだ洗車メニュー（洗車操作条件）以外のメニュー等も情報としてアピールできるし、先行車両の洗車終了後に直ちに後続車両のための洗車動作に入ることができる。
【００２９】
▲３▼情報提供部４０が情報選択部４２を備えることにより、後続車両の乗員が欲する情報を提供できるし、ある情報の提供中に当該洗車客の選択に応じて更に詳しい関連情報を表示したり、当該情報に関係する料金割引券を提供する等もできる。
【００３０】
図４が、情報提供部４０の情報表示部４１として車載ラジオ６０を利用し、更に車両の乗員が車載ラジオ６０の受信中に、その受信に割り込んで情報を伝達可能とするものである。情報提供部４０は、車載ラジオ６０の中間周波数（455kHzのＡＭ変調波、10.7MHzのＦＭ変調波）を利用する送信機５０を有するものである。
【００３１】
送信機５０は、ＡＭ変調器５１、455kHzAM送信器５２、ジュブレクサ５３、送信アンテナ５４等から構成される。車載ラジオ６０は、受信アンテナ６１、ＭＩＸＥＲ６２、ＯＳＣ６３、455kHz中間周波増幅６４、検波６５、電力増幅６６、スピーカ６７等から構成される。送信アンテナ５４からの電波は浮遊容量を介して車載ラジオ６０の中間周波増幅６４へ直接入る。情報提供部４０が送信機５０に情報を入力すると、ＡＭ変調器５１、ＡＭ送信器５２、ジュブレクサ５３を介し、送信アンテナ５４から情報電波が送信される。洗車作業場１０Ａの入口に待機する後続車両の乗員が車載ラジオ６０を受信していると、又は情報提供部４０が情報表示部４１のスピーカ（スピーカ２９でも可）等を用いて後続車両の乗員に車載ラジオ６０のオンを促して車載ラジオ６０を受信可能状態にさせると、車載ラジオ６０がその情報電波を自動的に受信し、中間周波増幅６４、検波６５、電力増幅６６を介してスピーカ６７からその情報を音声によって車両乗員により明瞭に伝達できる。尚、車載ラジオ６０のＦＭ放送を用いるため、送信機５０が455kHzＡＭ送信器５２に加え（又は代え）、10.7MHzＦＭ送信器を搭載するものでも良い。
【００３２】
送信機５０を用いた情報提供部４０を有する洗車受付装置１３にあっては、情報表示部４１として車載ラジオ６０を用いるものであるから、洗車操作制御部２０が後続車両のための洗車操作条件を受付け完了してから、当該車両が洗車終了して洗車作業場１０Ａから退場完了するまで、その情報の提供を継続するものでも良い。このとき、情報提供部４０が提供する情報としては、洗車機１１や洗車受付装置１３の使用案内情報（洗車受付装置１３を用いる受付手順、洗車作業場１０Ａへの車両の入場／退場手順等）等を含むこともできる。
【００３３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明はドライブスルー式の洗車設備に限らず、一般の洗車設備にも広く採用できる。
【００３４】
【発明の効果】
以上のように本発明によれば、洗車受付装置において、先行車両の洗車終了まで待機する後続車両の乗員の待ち時間を有効に利用することができる。
【図面の簡単な説明】
【図１】図１は洗車設備を示す模式図である。
【図２】図２は洗車受付装置を示す模式図である。
【図３】図３は洗車受付装置と洗車機の制御系統を示すブロック図である。
【図４】図４は情報提供部を示す回路図である。
【符号の説明】
１０  洗車設備
１０Ａ  洗車作業場
１１  洗車機
１３  洗車受付装置
４０  情報提供部
４１  情報表示部
４２  情報選択部
５０  送信機（送信手段）
６０  車載ラジオ
【図１】
0004521987.tif 000002
【図２】
0004521987.tif 000003
【図３】
0004521987.tif 000004
【図４】
0004521987.tif 000005